(57)【要約】      （修正有）【課題】槽体の排水口を遠隔的に開閉する、遠隔操作式排水栓装置において、弁軸とインナーワイヤが固定されている場合であっても、インナーワイヤの捻れを防止することが可能な構造を提供する。【解決手段】軸部２１が何らかの理由によって回転してしても、ショックアブソーバ２２とストッパー２３の間の弁軸２１に、摩擦係数の低い材質からなる滑り部材２４が配置され、インナーワイヤ１６の捩れを防ぐ捩れ防止機構を設けた。【選択図】図４
2015048682.tif 000002
【特許請求の範囲】
【請求項１】
槽体の底面に設けられた排水口を遠隔的に開閉する遠隔操作式排水栓装置であって、
上下動することで排水口の開閉を行う弁体と、
弁体を操作する操作部と、
操作部の操作を弁体へと伝達する、側面方向に可撓性を備えると共に軸方向に剛性を有するインナーワイヤと、該インナーワイヤを内部に摺動可能に収納する中空のアウターチューブより成るレリースワイヤと、
弁体と嵌合可能であって、インナーワイヤが固定された弁軸と、
弁軸を進退自在に収納可能であって、アウターチューブが固定されたカバー部材と、
から成り、
前記弁軸に、インナーワイヤの捻れを防ぐ捻れ防止機構を設けたことを特徴とする遠隔操作式排水栓装置。
【請求項２】
前記弁軸がインナーワイヤに対して、軸方向に対しては固定されているが、周方向に対しては相対回転可能に構成されていることによって前記捻れ防止機構が構成されていることを特徴とする請求項１に記載の遠隔操作式排水栓装置。
【請求項３】
前記弁軸が、
弁体と嵌合する筒状の軸部と、
インナーワイヤが固定されたストッパーと、
軸部とストッパーの間に配置されて、軸部に過剰な応力が加わった際に、該応力がインナーワイヤに対して伝達することを防止するショックアブソーバより成り、
当該軸部の回転がストッパーに対して伝達しないよう、軸部とストッパーが相対回転自在に形成されていることにより前記捻れ防止機構が構成されていることを特徴とする請求項２に記載の遠隔操作式排水栓装置。
【請求項４】
前記弁軸が、
ショックアブソーバとストッパーとの間に滑り部材を備え、当該滑り部材によって軸部の回転がストッパーに対して伝達しないことを特徴とする請求項３に記載の遠隔操作式排水栓装置。
【請求項５】
前記弁軸がカバー部材に対して回転不可能に固定されることによって前記捻れ防止機構が構成されていることを特徴とする請求項１に記載の遠隔操作式排水栓装置。
【請求項６】
前記弁軸の外周及びカバー部材の内周が非円形であることにより前記捻れ防止機構が構成されていることを特徴とする請求項５に記載の遠隔操作式排水栓装置。
【請求項７】
前記弁軸の外周及びカバー部材の内周に、それぞれ対応する凹凸が設けられていることにより前記捻れ防止機構が構成されていることを特徴とする請求項５又は請求項６に記載の遠隔操作式排水栓装置。
【発明の詳細な説明】
【技術分野】
【０００１】
本発明は、槽体の底面に設けられた排水口を遠隔的に開閉する遠隔操作式排水栓装置に関するものである。
【背景技術】
【０００２】
従来、浴槽や洗面ボウル等の槽体の底面に設けられた排水口を遠隔的に開閉する装置として、遠隔操作式排水栓装置が知られている。
特許文献１に記載の遠隔操作式排水栓装置は、排水口に配置された弁体（弁体部）と、槽体の縁部等、弁体とは離れた位置に配置された操作部と、弁体と操作部を繋ぐレリースワイヤと、弁体を突き上げる弁軸により構成されている。当該遠隔操作式排水栓装置は、操作部の操作をレリースワイヤによって伝達し、弁体を上下させることで排水口の開閉を遠隔的に行う構造となっている。
【０００３】
上記遠隔操作式排水栓装置に関し、レリースワイヤはコイル状に巻かれた金属の撚り線によって形成されたインナーワイヤと、合成樹脂よりなる中空のアウターチューブより構成されている。尚、インナーワイヤは側面からの応力に対して可撓性を備えるとともに、軸方向からの応力に対しては剛性を有しており、上記アウターチューブ内に進退可能に収納されている。又、レリースワイヤは一端において、当該弁軸を介して弁体と連結していると共に、他端が操作部と連結しており、操作部の操作を弁部材に伝達することが可能となっている。
【０００４】
上記遠隔操作式排水栓装置において、子どものイタズラや、清掃の際に弁体の外し方が分からず使用者が弁体を回転させる等の理由により弁軸が回転した場合に、弁軸と固定されているインナーワイヤが捻れてしまい、当該捻れによりインナーワイヤが膨らみ（インナーワイヤの撚りが緩み）、当該膨らみの分インナーワイヤが軸方向に対して短くなるという問題が生じていた。
さらに、インナーワイヤは上記膨らんだ状態でアウターチューブに当接し、元の状態に戻らなくなってしまっていた。又、レリースワイヤは通常、ある程度屈曲されながら施工されるが、該屈曲部分は摩擦が大きく、当該摩擦によりインナーワイヤは膨らんだ状態のまま固定されてしまう。
又、上記と逆の方向にインナーワイヤが捻れた場合、インナーワイヤが収縮し（インナーワイヤの撚りが締まり）、当該収縮のインナーワイヤが軸方向に対して長くなっていた。
【０００５】
上記インナーワイヤが短くなってしまった状態の遠隔操作式排水栓装置はインナーワイヤ及び弁軸の突出量が減少しており、十分に弁体を押し上げることが不可能となる。従って、排水口を完全に開くことが不可能となり、排水流量が低下するとともに、場合によっては排水口を開くこと自体が不可能となり、排水を行うことができない。
逆に、インナーワイヤが長くなってしまった状態の遠隔操作式排水栓装置においてはインナーワイヤ及び弁軸の突出量が増加しており、排水口を完全に閉めることが不可能となる。従って、槽体内に湯水を貯留することが不可能となる。
【０００６】
尚、特許文献１に記載の弁軸（弁軸部）はカバー部材の内部に摺動可能に収納されるとともに、筒状の軸部（弁軸部本体）の内部にショックアブソーバ（緩衝スプリング）と、該ショックアブソーバを下方より支えるストッパーを有している。そして、インナーワイヤは軸部ではなくストッパーに対して固定されているとともに、ストッパーは軸部内部を摺動可能であることから、特許文献１に記載の遠隔操作式排水栓装置は一見、軸部の回転がインナーワイヤに伝達しないように見える。
しかし、上記ショックアブソーバは軸部とストッパーの間に配置され、常に軸部とストッパーが離間する方向に応力を加えている。従って、軸部が回転した際、上記応力による摩擦力により当該回転はショックアブソーバを介してストッパーに伝達されてしまい、インナーワイヤは軸部と連動して回転してしまう。
【０００７】
一方で、特許文献２に記載の遠隔操作式排水栓装置においては、インナーワイヤ（コアコイル）が弁軸（プランジャー）に固定されていない。従って、特許文献２においてはインナーワイヤと弁軸が相対回転自在となっていることから、弁軸が回転したとしても、当該回転がインナーワイヤに伝達されることはなく、インナーワイヤの捻れは生じない。
【０００８】
しかし、特許文献２に記載の遠隔操作式排水栓装置においては弁軸を操作部側へと引き戻すための戻りスプリング（リターンスプリング）がカバー部材（プランジャー外筒）の内部に配置されている必要がある。（戻りスプリングが操作部側に配置されていると、弁体が自重のみで下降しなければならず、止水不良が生じる場合がある。）即ち、戻りスプリングの分だけ弁軸及びカバー部材の径が大きくなることから排水口の開口面積が減少し、排水流量が悪い。
【０００９】
尚、従来の遠隔操作式排水栓装置において、インナーワイヤの操作部側端部が操作部に固定されていないものが存在する。しかし、前述の通り、通常レリースワイヤは有る程度屈曲されながら施工されており、該屈曲に伴うインナーワイヤとアウターチューブ間の摩擦により、実質的に操作部側が固定されているに等しい状態となっている。即ち、操作部側の端部を回動自在にしていたとしても、インナーワイヤの捻れを防止することは困難である。
【先行技術文献】
【特許文献】
【００１０】
【特許文献１】特開２０１３−７９４９０号公報
【特許文献２】特開２００８−２２３４５３号公報
【発明の概要】
【発明が解決しようとする課題】
【００１１】
本発明は上記問題に鑑み、弁軸とインナーワイヤが固定されている遠隔操作式排水栓装置について、インナーワイヤの捻れを防止することが可能な構造を提供することを目的とする。
【課題を解決するための手段】
【００１２】
上記課題を解決するための請求項１に記載の本発明は、槽体の底面に設けられた排水口を遠隔的に開閉する遠隔操作式排水栓装置であって、
上下動することで排水口の開閉を行う弁体と、
弁体を操作する操作部と、
操作部の操作を弁体へと伝達する、側面方向に可撓性を備えると共に軸方向に剛性を有するインナーワイヤと、該インナーワイヤを内部に摺動可能に収納する中空のアウターチューブより成るレリースワイヤと、
弁体と嵌合可能であって、インナーワイヤが固定された弁軸と、
弁軸を進退自在に収納可能であって、アウターチューブが固定されたカバー部材と、
から成り、
前記弁軸に、インナーワイヤの捻れを防ぐ捻れ防止機構を設けたことを特徴とする遠隔操作式排水栓装置である。
【００１３】
請求項２に記載の本発明は、前記弁軸がインナーワイヤに対して、軸方向に対しては固定されているが、周方向に対しては相対回転可能に構成されていることによって前記捻れ防止機構が構成されていることを特徴とする請求項１に記載の遠隔操作式排水栓装置である。
【００１４】
請求項３に記載の本発明は、前記弁軸が、
弁体と嵌合する筒状の軸部と、
インナーワイヤが固定されたストッパーと、
軸部とストッパーの間に配置されて、軸部に過剰な応力が加わった際に、該応力がインナーワイヤに対して伝達することを防止するショックアブソーバより成り、
当該軸部の回転がストッパーに対して伝達しないよう、軸部とストッパーが相対回転自在に形成されていることにより前記捻れ防止機構が構成されていることを特徴とする請求項２に記載の遠隔操作式排水栓装置である。
【００１５】
請求項４に記載の本発明は、前記弁軸が、
ショックアブソーバとストッパーとの間に滑り部材を備え、当該滑り部材によって軸部の回転がストッパーに対して伝達しないことを特徴とする請求項３に記載の遠隔操作式排水栓装置である。
【００１６】
請求項５に記載の本発明は、前記弁軸がカバー部材に対して回転不可能に固定されることによって前記捻れ防止機構が構成されていることを特徴とする請求項１に記載の遠隔操作式排水栓装置である。
【００１７】
請求項６に記載の本発明は、前記弁軸の外周及びカバー部材の内周が非円形であることにより前記捻れ防止機構が構成されていることを特徴とする請求項５に記載の遠隔操作式排水栓装置である。  
【００１８】
請求項７に記載の本発明は、前記弁軸の外周及びカバー部材の内周に、それぞれ対応する凹凸が設けられていることにより前記捻れ防止機構が構成されていることを特徴とする請求項５又は請求項６に記載の遠隔操作式排水栓装置である。
【発明の効果】
【００１９】
請求項１に記載の本発明によれば、弁軸に捻れ防止機構を設けたことにより、インナーワイヤの捻れによる不具合を防止することが可能となる。
請求項２に記載の本発明によれば、インナーワイヤと弁軸が周方向に対して相対回転自在に形成されていることにより、弁軸の回転がインナーワイヤに伝達することを防ぐことができる。又、インナーワイヤは弁軸と、軸方向に対して固定されていることから、弁軸側に戻りスプリングを配置する必要がなく、弁軸及びカバー部材の径が大きくなることを防ぐことができる。
請求項３に記載の本発明によれば、軸部とストッパーが相対回転自在に形成されていることにより、軸部の回転がストッパー及びストッパーに固定されたインナーワイヤに伝達することを防ぐことができる。従って、インナーワイヤの捻れを防止することが可能となる。
請求項４に記載の本発明によれば、滑り部材がショックアブソーバと滑り合う、又は滑り部材がストッパーと滑り合うことにより空回りし、弁軸の回転がストッパーに及びストッパーに固定されたインナーワイヤに伝達することを防ぐことができる。
請求項５に記載の本発明によれば、弁軸がカバー部材に対して回転不可能となっていることにより、インナーワイヤの捻れを防止することが可能となる。
請求項６に記載の本発明によれば、弁軸の外周及びカバー部材の内周が非円形であるため、弁軸が回転不可能となり、インナーワイヤの捻れを防止することが可能となる。
請求項７に記載の本発明によれば、弁軸の外周及びカバー部材の内周に、それぞれ対応する凹凸が設けられていることにより、弁軸が回転不可能となり、インナーワイヤの捻れを防止することが可能となる。即ち、弁軸を回転させようとすると、上記凹凸が当接し、該回転を阻害することができる。
【図面の簡単な説明】
【００２０】
【図１】本発明の施工状態を示す断面図である。
【図２】図１の要部拡大図である。
【図３】遠隔操作式排水栓装置の要部を示す一部拡大断面図である。
【図４】弁軸周辺を示す断面斜視図である。
【図５】第二実施形態に係る弁軸周辺を示す断面斜視図である。
【図６】第三実施形態に係る弁軸周辺を示す断面斜視図である。
【図７】第四実施形態に係る弁軸周辺を示す断面斜視図である。
【図８】第五実施形態に係る弁軸周辺を示す斜視図である。
【図９】第六実施形態に係る弁軸周辺を示す斜視図である。
【発明を実施するための形態】
【００２１】
以下、図面を参照しながら本発明の第一実施形態を説明する。尚、以下に記載する発明は実施形態の理解を容易にするためのものであり、これによって発明が制限して理解されるものではない。又、特に断りがない限り、図１に示す断面図を基準として上下左右を説明する。
【００２２】
図１及び図２に示すように、本発明の遠隔操作式排水栓装置１は、槽体としての浴槽Ｂに取り付けられる。
浴槽Ｂは内部に湯水を貯留可能であって、その底面において開口を有しており、当該開口周縁を挟持するように、パッキンを介して排水栓本体２及びエルボ部材４が螺合している。又、浴槽Ｂの縁部には後述する遠隔操作式排水栓装置１の操作部３０が取り付けられている。
【００２３】
排水栓本体２は上部にフランジ部を有するとともに、内部に排水口３を形成する円筒状の部材であって、外周に雄螺子が設けられている。又、排水栓本体２の内周には支持部材８が取り付けられている。
支持部材８は外周が排水栓本体２の内周と略同径であって、排水栓本体２の内周の突起と係合して取り付けられる。又、支持部材８はその中心において、後述する弁軸２０及びカバー部材２６が支持固定されるための支持部を有している。
【００２４】
エルボ部材４はその上方に、上記排水栓本体２が挿入される開口を有すると共に、該開口の内周に、排水栓本体２の外周に設けられた雄螺子と螺合する雌螺子が形成されている。又、エルボ部材４はその側面にワイヤ接続口６及び排出口５が設けられている。
ワイヤ接続口６にはガイドチューブ９が接続されているとともに、ガイドチューブ９を通じてレリースワイヤ１５が挿入されている。
排出口５は下流側の配管（図示せず）が接続され、排水口３やワイヤ接続口６から流入した排水を下流側（下水側）へと排出する。
【００２５】
次に、遠隔操作式排水栓装置１について説明する。
遠隔操作式排水栓装置１は、大きく分けて弁体１０、レリースワイヤ１５、弁軸２０、カバー部材２６、操作部３０より構成されており、操作部３０に入力された操作をレリースワイヤ１５が伝達し、弁軸２０が弁体１０を突き上げることで排水口３を開閉する構造となっている。
【００２６】
弁体１０は上記排水口３を閉口するための円盤状の蓋部１１と、該蓋部１１の下面中央に設けられた嵌合部１２より構成されている。又、蓋部１１の外周にはパッキンが嵌着されており、該パッキンが弁体１０が下降した際に排水栓本体２と当接することで、排水口３を閉口することが可能となる。
【００２７】
レリースワイヤ１５は金属をコイル状に巻いた撚り線であるインナーワイヤ１６と、合成樹脂よりなる中空のアウターチューブ１７より構成されている。
インナーワイヤ１６は側面からの応力に対して可撓性を備えるとともに、軸方向からの応力に対しては剛性を有しており、上記アウターチューブ１７内に進退可能に収納されている。
又、レリースワイヤ１５はその端部において、インナーワイヤ１６が弁軸２０の軸部２１に、アウターチューブ１７がカバー部材２６にそれぞれ固定されるとともに、弁体１０と操作部３０を繋ぐように配置されている。尚、弁軸２０及びカバー部材２６と固定されている側の端部が弁体１０側となるように配置されている。
【００２８】
弁軸２０は図４に示すように、軸部２１、ショックアブソーバ２２、ストッパー２３、滑り部材２４より構成されている。
軸部２１は下方に開口を有する円筒状であって、内部にショックアブソーバ２２、ストッパー２３、滑り部材２４を収納し、前記開口が筒蓋２５によって閉塞されている。又、軸部２１はその先端の外周が前記弁体１０の嵌合部１２と嵌合可能となるよう窪んでいる。
ショックアブソーバ２２は軸部２１の内側上端とストッパー２３との間に配置されており、軸部２１とストッパー２３が互いに離間する方向へ向けて応力を加えている。即ち、図１において、ショックアブソーバ２２は軸部２１を軸方向上方へ向けて応力を加えていると共に、ストッパー２３を軸方向下方へ向けて応力を加えている。
ストッパー２３はインナーワイヤ１６の先端が固定されており、滑り部材２４を介してショックアブソーバ２２と当接することで、インナーワイヤ１６が軸部２１から抜けることを防止するとともに、ショックアブソーバ２２を下方から押さえる機能を有している。尚、インナーワイヤ１６はストッパー２３に対して軸方向に対して固定されているとともに回動不可能に固定されているため、ストッパー２３が回転すると、インナーワイヤ１６も回転する。又、ストッパー２３は軸部２１内部を軸方向に摺動可能に配置されている。
第一実施形態においては、ストッパー２３は金属材より構成されており、カシメによってインナーワイヤ１６に固定されているが、ストッパー２３の材質や固定方法は特に限定しない。又、弁軸２０の部材であるストッパー２３がインナーワイヤ１６に固定されていることから、弁軸２１はインナーワイヤ１６に固定されている。
滑り部材２４はショックアブソーバ２２とストッパー２３の間に配置された円盤状の部材であり、摩擦係数の低い材料から形成されている。又、滑り部材２４は他のどの部材にも固定されておらず、軸部２１内を軸方向に摺動可能であるとともに、周方向に回転自在となっている。
【００２９】
カバー部材２６は前記弁軸２０を進退自在に収納している筒状体であって、下端がアウターチューブ１７と固定されている。又、カバー部材２６は前記支持部材８の中央に設けられた支持部によって支持固定されている。
【００３０】
操作部３０は操作部本体３１と、ボタン部材３２と、ロック機構部３３より構成されている。又、操作部３０はその端部においてレリースワイヤ１５と連結するとともに、端部外周にガイドチューブ９が接続されている。
操作部本体３１は略円筒状の部材であって、内部にロック機構部３３及びボタン部材３２を有し、浴槽Ｂの縁部に設けられた開口周縁を挟持するように螺合している。
ボタン部材３２は手動により上下方向に対して押動操作が加えられる部分であって、その下面中央においてロック軸３４と連結している。
ロック機構部３３はケーシング３５の内部に配置されたロック軸３４、ギア部３６、戻りスプリング３７より成る公知のスラストロック機構である。ロック軸３４はボタン部材３２と嵌合すると共にインナーワイヤ１６と連結しており、ボタン部材３２に与えられた押動操作をギア部３６及びインナーワイヤ１６に伝達する。ギア部３６はロック軸３４に取り付けられた上部ギア及び回転ギアと、ケーシング３５内部に設けられた下部ギアより成り、回転ギアが上部ギア若しくは下部ギアと噛み合うことによって、インナーワイヤ１６の進出／後退位置を保持することができる。即ち、上記ボタン部材３２の押動操作に伴いロック軸３４及び上部ギア、回転ギアが上下動し、回転ギアが他のギア（上部ギア／下部ギア）と当接することで回転するとともに、回転ギアが当該他のギアと噛み合うことで進出／後退位置を保持することができる。又、上記ボタン部材３２（ロック軸３４）の下降はボタン部材３２の押動操作に伴うものであり、上昇は戻りスプリング３７の反発力によるものである。
尚、上記戻りスプリング３７は操作部３０の下方であって、操作部３０に挿入されたインナーワイヤ１６の外側に配置されて、ボタン部材３２（ロック軸３４）を上方へ向けて付勢している。
【００３１】
上記第一実施形態の遠隔操作式排水栓装置１は、以下のように作動する。
【００３２】
まず、図１に示すように、弁体１０が下降しており、排水口３が閉口している状態において、操作部３０のボタン部材３２に対して押動操作を加えると、ロック軸３４が下方へと押し下げられ、インナーワイヤ１６が弁体１０側へ向けてアウターチューブ１７内を摺動する。
インナーワイヤ１６の摺動に伴い、インナーワイヤ１６端部と固定されている弁軸２０がカバー部材２６内部を上方へ向けて摺動することにより、弁体１０を押し上げることで、弁体１０に嵌着されたパッキンが排水栓本体２から離間し、排水口３が開口する。
この時、回転ギアが上記ボタン部材３２の押動操作に伴い回転すると共に、回転後において戻りスプリング３７の作用により押し上げられ、下部ギアと噛み合うことで上記排水口３の開口状態（インナーワイヤ１６の進出状態）が保持される。
次に、排水口３の開口されている状態よりさらにボタン部材３２を押動すると、回転ギアが再び回転し、下部ギアとの噛み合いが解除される。そして、戻りスプリング３７の反発によってボタン部材３２が上昇するとともに、インナーワイヤ１６が操作部３０側へ向けてアウターチューブ内を摺動する。
この時、インナーワイヤ１６の端部と固定されている弁軸２０がカバー部材２６内部を下方へ向けて摺動することにより、弁軸２０と嵌合している弁体１０が下降する。そして、弁体１０に嵌着されたパッキンが再び排水栓本体２へと当接し、排水口が閉口する。
このようにして、本発明の遠隔操作式排水栓装置１は、ボタン部材３２の押動操作を繰り返すことによって、排水口３の開閉を遠隔的に行うことが可能となる。
【００３３】
尚、上記遠隔操作式排水栓装置１に対し、排水口３が開口している状態、即ち弁体１０が上昇した状態において、弁体１０が踏まれる等、弁体１０に対して過剰な応力が加えられると、軸部２１の内部に配置されたショックアブソーバ２２が収縮する。当該収縮により、上記過剰な応力はインナーワイヤ１６に伝達せず、インナーワイヤ１６やギア部３６の破損を防ぐことができる。
【００３４】
又、上記第一実施形態の遠隔操作式排水栓装置１は、弁軸２０内に滑り部材２４が配置されていることにより、弁軸２０が回転した際に、インナーワイヤ１６が捻れることを防止する、捻れ防止機構を備えている。当該捻れ防止機構は以下のように動作する。
【００３５】
軸部２１が子どものイタズラ等によって回転された場合、当該回転はショックアブソーバ２２へと伝達される。尚、軸部２１はショックアブソーバ２２とは固定されていないため、必ず上記回転が伝達されるわけではないが、前述の通り、ショックアブソーバ２２は軸部２１とストッパー２３が互いに離間する方向へ向けて応力を加えているため、当該応力による摩擦力により軸部２１の回転に伴い回転してしまうことがある。
一方で、ショックアブソーバ２２とストッパー２３との間には滑り部材２４が介在しているため、ショックアブソーバ２２の回転はストッパー２３には伝達しない。前述の通り、滑り部材２４は摩擦係数の低い材質より形成されているとともに、軸部２１その他の部材に対して回動自在に配置されている。従って、軸部２１の回転によりショックアブソーバ２２が回転した際、ショックアブソーバ２２が滑り部材２４の上方で滑り合うことで空回りする、又はショックアブソーバ２２と共に回転した滑り部材２４が、ストッパー２３との間において滑り合うことで空回りする。従って、軸部２１に付与された回転は、ショックアブソーバ２２（及び滑り部材２４）に伝達されるのみであって、ストッパー２３及びインナーワイヤ１６には伝達されない。従って、ストッパー及びインナーワイヤ１６は弁軸２０とともに回転することが無く、捻れてしまうことがない。
【００３６】
上記本発明第一実施形態によれば、インナーワイヤ１６が弁軸２０に、軸方向に固定されている遠隔操作式排水栓装置において、弁軸２０に回転が加わっても、インナーワイヤ１６に対して捻れが発生しないため、インナーワイヤ１６の長さが短くなって（長くなって）しまうことがない。
又、戻りスプリング３７が操作部３０側に配置されていることから、排水口３の流路を必要以上に狭めてしまうことがなく、良好な排水流量を確保することができる。即ち、本発明の遠隔操作式排水栓装置１においては、捻れ防止機構によって、弁軸２０とインナーワイヤ１６が軸方向に対しては固定されているが、周方向に対しては相対回転可能に構成されていることによって、インナーワイヤ１６の捻れを防止するとともに、戻りスプリング３７を操作部３０側に配置することが可能となる。
尚、リング部材２４は摩擦係数の低い部材であることが望ましく、又、更にはショックアブソーバ２２やストッパー２３等、隣接する部材とは異なる材質より構成することにより、より好適に滑り合うことが可能となる。即ち、ショックアブソーバ２２を金属製、リング部材２４を合成樹脂（ＰＰ、ＰＯＭ等）より構成する等することにより、より好適に滑り合うことが可能となる。
【００３７】
本発明の第一実施形態は以上であるが、本発明は上記構造に限られるものではく、発明の要旨を逸脱しない範囲内において種々の設計変更が可能である。
例えば、上記第一実施形態において、滑り部材２４の形状は円盤状であったが、筒状、キャップ状であるなど、その他の形状であっても良い。又、滑り部材２４の外周にリブを設ける等して、滑り部材２４と他部材との接触を点又は線接触とし、摩擦抵抗を減らしても良い。又、滑り部材２４は図５に示す第二実施形態のように、断面略凸型であっても良い。
【００３８】
上記第一実施形態及び第二実施形態における遠隔操作式排水栓装置１は、ストッパー２３の上方に配置された滑り部材２４によって軸部２１とストッパー２３が相対回転可能となっていることから、ストッパー２３に固定されたインナーワイヤ１６と弁軸２０が相対回転自在に構成されている。しかし、本発明の遠隔操作式排水栓装置１は図６に示す第三実施形態のように、ストッパー２３の周囲に滑り部材２４が配置される等、滑り部材２４の位置に関して特に限定されるものではない。
第三実施形態においては、滑り部材２４は２つの部材から構成されており、ストッパー２３を上下方向から挟んでいる。
又、本発明の遠隔操作式排水栓装置１は、図７に示す第四実施形態のように、弁軸２０がショックアブソーバ２２を有さない形状であっても良い。上記第四実施形態においては、滑り部材２４がストッパー２３を兼ねているため、インナーワイヤ１６が弁軸２０と相対回転自在となっている。（捻れ防止機構を構成している。）即ち、第四実施形態においては、弁軸２０が回転したとしても、弁軸２０が滑り部材２４（ストッパー２３）と滑り合うことにより弁軸２０の回転は滑り部材２４及び滑り部材２４に固定されたインナーワイヤ１６に対して伝達されない。
【００３９】
又、上記第一実施形態乃至第四実施形態における捻れ防止機構はすべて、弁軸２０とインナーワイヤ１６が相対回転自在であることによって弁軸２０の回転がインナーワイヤ１６に伝達することを防ぐ構造であったが、本発明の捻れ防止機構は上記構造に限られるものではなく、以下に記載する第五実施形態及び第六実施形態のような捻れ防止機構であっても良い。
尚、図示していないが、第五実施形態及び第六実施形態において、レリースワイヤ１５のアウターチューブ１７はカバー部材２６に、インナーワイヤ１６は弁軸２０にそれぞれ固定されている。又、弁軸２０、操作部３０その他の構造については第一実施形態の構造と同一であるためその記載を省略している。
【００４０】
第五実施形態における遠隔操作式排水栓装置１は、図８に示すように、弁軸２０が楕円の筒状であり、平面視において非円形に形成されている。又、当該非円形の弁軸２０が進退自在に収納されているカバー部材２６は、その内周が弁軸２０の外周と略同一形状の非円形に形成されている。
【００４１】
上記第五実施形態に係る遠隔操作式排水栓装置１においては、弁軸２０の外周とカバー部材２６の内周がそれぞれ非円形に形成されていることにより、インナーワイヤ１６の捻れ防止機構を構成している。
即ち、第五実施形態に係る遠隔操作式排水栓装置１においては、そもそも弁軸２０が回転することができないため、結果的にインナーワイヤ１６が捻れることがない。
【００４２】
第六実施形態における遠隔操作式排水栓装置１は、図９に示すように、第五実施形態と同様に、弁軸２０が楕円の筒状であり、平面視において非円形に形成されている。又、弁軸２０はその外周において、周方向外側に向けて突出する凸部４０が形成されている。尚、図示しないが、当該凸部４０は弁軸２０の周囲において２箇所、軸対称となる位置に設けられている。
又、弁軸２０が進退自在に収納されているカバー部材２６は、その内周が弁軸２０の外周と略同一形状の非円形に形成されているとともに、前記弁軸２０の凸部４０と対応する凹部４１が２箇所、軸対称となる位置に設けられている。
上記第六実施形態に係る遠隔操作式排水栓装置１は第五実施形態と同様に、弁軸２０の外周とカバー部材２６の内周が非円形に形成されているとともに、弁軸２０の外周とカバー部材２６の内周のそれぞれに、対応する凹凸が設けられていることによってインナーワイヤ１６の捻れ防止機構を構成している。即ち、第五実施形態に係る遠隔操作式排水栓装置１は、上記第五実施形態に比べ、より弁軸２０がカバー部材２６に対して回転し難く、インナーワイヤ１６が捻れることがない。
【００４３】
上記第五実施形態及び第六実施形態においては、弁軸２０がカバー部材２６に対して相対回転不可能に構成されていることによりインナーワイヤ１６の捻れ防止機構を形成している。従って、弁軸２０とインナーワイヤ１６は相対回転不可能に固定されていても良いが、前記第一実施形態の弁軸２０のように、内部に滑り部材２４を配置するなど、適宜実施形態同士を組み合わせても良い。
【００４４】
本発明の実施形態は以上のようであるが、本発明の遠隔操作式排水栓装置が取り付けられる槽体は浴槽に限られるものではなく、洗面ボウルやシンク等、種々の槽体に対して利用しても良い。
【符号の説明】
【００４５】
１          遠隔操作式排水栓装置
２          排水栓本体
３          排水口
４          エルボ部材
５          排出口
６          ワイヤ接続口
８          支持部材
９          ガイドチューブ
１０        弁体
１１        蓋部
１２        嵌合部
１５        レリースワイヤ
１６        インナーワイヤ
１７        アウターチューブ
２０        弁軸
２１        軸部
２２        ショックアブソーバ
２３        ストッパー
２４        滑り部材
２５        筒蓋
２６        カバー部材
３０        操作部
３１        操作部本体
３２        ボタン部材
３３        ロック機構部
３４        ロック軸
３５        ケーシング
３６        ギア部
３７        戻りスプリング
４０        凸部
４１        凹部
Ｂ          浴槽
【図１】
2015048682.tif 000003
【図２】
2015048682.tif 000004
【図３】
2015048682.tif 000005
【図４】
2015048682.tif 000006
【図５】
2015048682.tif 000007
【図６】
2015048682.tif 000008
【図７】
2015048682.tif 000009
【図８】
2015048682.tif 000010
【図９】
2015048682.tif 000011